(57)【特許請求の範囲】
【請求項１】
対向する外部材の内面にして該外部材の表面から所定の距離だけ奥まった位置には凹溝が延設され、この外部材間には平板部材が設けられ、この平板部材の両端部が夫々前記凹溝に嵌入された家屋構築用のパネル体であって、前記外部材の外面の一部若しくは全部には、隣接する前記同構造のパネル体の外部材の外面若しくは適宜な家屋用の部材の一部若しくは全部に形成された外縁が波形の凹凸面と互いに凹凸嵌合する外縁が波形の凹凸面が形成されていることを特徴とする家屋構築用のパネル体。
【請求項２】
請求項１記載の家屋構築用のパネル体において、前記凹凸面の凸部及び凹部は前記外部材の長手方向に延設されている凸部及び凹部であることを特徴とする家屋構築用のパネル体。
【請求項３】
請求項１，２いずれか１項に記載の家屋構築用のパネル体において、前記外部材の内面には膨出部が設けられ、この膨出部に前記凹溝が設けられていることを特徴とする家屋構築用のパネル体。
【請求項４】
請求項３記載の家屋構築用のパネル体において、前記膨出部及び前記凹溝は前記外部材の長手方向に延設されていることを特徴とする家屋構築用のパネル体。
【請求項５】
対向する外部材の内面にして該外部材の表面から所定の距離だけ奥まった位置には凹溝が延設され、この外部材間には平板部材が設けられ、この平板部材の両端部が夫々前記凹溝に嵌入された家屋構築用のパネル体であって、前記外部材の外面の一部若しくは全部には、隣接する前記同構造のパネル体の外部材の外面若しくは適宜な家屋用の部材の一部若しくは全部に形成された凹凸面と互いに凹凸嵌合する凹凸面が形成され、前記外部材の内面には膨出部が設けられ、この膨出部に前記凹溝が設けられていることを特徴とする家屋構築用のパネル体。
【請求項６】
請求項５記載の家屋構築用のパネル体において、前記凹凸面の凸部及び凹部は前記外部材の長手方向に延設されている凸部及び凹部であることを特徴とする家屋構築用のパネル体。
【請求項７】
請求項５，６いずれか１項に記載の家屋構築用のパネル体において、前記膨出部及び前記凹溝は前記外部材の長手方向に延設されていることを特徴とする家屋構築用のパネル体。
【請求項８】
周囲若しくは対向位置に外部材が設けられ、この外部材の内方に平板部材が設けられたパネル体であって、前記外部材の外面の一部若しくは全部には、隣接する前記同構造のパネル体の外部材の外面若しくは適宜な家屋用の部材の一部若しくは全部に形成された外縁が波形の凹凸面と互いに凹凸嵌合する外縁が波形の凹凸面が形成されていることを特徴とする家屋構築用のパネル体。
【請求項９】
請求項８記載の家屋構築用のパネル体において、前記凹凸面の凸部及び凹部は前記外部材の長手方向に延設されている凸部及び凹部であることを特徴とする家屋構築用のパネル体。
【請求項１０】
請求項８，９いずれか１項に記載の家屋構築用のパネル体において、前記外部材の内面には膨出部が設けられ、この膨出部に前記凹溝が設けられていることを特徴とする家屋構築用のパネル体。
【請求項１１】
請求項１０記載の家屋構築用のパネル体において、前記膨出部及び前記凹溝は前記外部材の長手方向に延設されていることを特徴とする家屋構築用のパネル体。
【請求項１２】
周囲若しくは対向位置に外部材が設けられ、この外部材の内方に平板部材が設けられたパネル体であって、前記外部材の外面の一部若しくは全部には、隣接する前記同構造のパネル体の外部材の外面若しくは適宜な家屋用の部材の一部若しくは全部に形成された凹凸面と互いに凹凸嵌合する凹凸面が形成され、前記外部材の内面には膨出部４が設けられ、この膨出部に前記凹溝が設けられていることを特徴とする家屋構築用のパネル体。
【請求項１３】
請求項１〜１２いずれか１項に記載の家屋構築用のパネル体において、互いに凹凸嵌合する前記凹凸面間には気密部材が介在せしめられていることを特徴とする家屋構築用のパネル体。
【請求項１４】
請求項１〜１３いずれか１項に記載の家屋構築用のパネル体により壁が形成されていることを特徴とするパネル体により形成された家屋。
【発明の詳細な説明】
【０００１】
【発明の属する技術分野】
本発明は、家屋構築用のパネル体及びパネル体により形成された家屋に関するものである。
【０００２】
【従来の技術及び発明が解決しようとする課題】
家屋を構成する部材同志の当接構造、例えば柱とパネル体等との当接構造は、平面同志が当接する構造が採用されている。
【０００３】
しかし、これら当接された部材同志の間には、必ず隙間が存在し、この隙間から隙間風が侵入するという問題がある（尚、部材の寸法が狂っていた場合、また、部材が木製の場合、ソリ等により、前記隙間風の問題はより一層顕著となる。）。
【０００４】
従って、前記隙間をなくす為、部材同志の間（当接部位）にテープ状の気密部材を介在せしめたりすることが多い。
【０００５】
しかし、この気密部材を用いる方法は、例えば、柱間にパネル体を配設する場合、該柱とパネル体との摺動により、該気密部材がめくれてしまったりし、作業性が悪く、結局は十分な気密性を確保できないという問題点がある。
【０００６】
本発明は上記問題点を解決するもので、部材同志の当接部位の気密性が高く、部材の配設作業も容易に行え、高強度の家屋を構築できる実用性に秀れた家屋構築用のパネル体及びパネル体により形成された家屋を提供するものである。
【０００７】
【課題を解決するための手段】
添付図面を参照して本発明の要旨を説明する。
【０００８】
対向する外部材１の内面１ａにして該外部材１の表面から所定の距離だけ奥まった位置には凹溝２が延設され、この外部材１間には平板部材３が設けられ、この平板部材３の両端部が夫々前記凹溝２に嵌入された家屋構築用のパネル体であって、前記外部材１の外面１ｂの一部若しくは全部には、隣接する前記同構造のパネル体の外部材１の外面１ｂ若しくは適宜な家屋用の部材の一部若しくは全部に形成された外縁が波形の凹凸面と互いに凹凸嵌合する外縁が波形の凹凸面が形成されていることを特徴とする家屋構築用のパネル体に係るものである。
【０００９】
また、請求項１記載の家屋構築用のパネル体において、前記凹凸面の凸部及び凹部は前記外部材１の長手方向に延設されている凸部及び凹部であることを特徴とする家屋構築用のパネル体に係るものである。
【００１０】
また、請求項１，２いずれか１項に記載の家屋構築用のパネル体において、前記外部材１の内面１ａには膨出部４が設けられ、この膨出部４に前記凹溝２が設けられていることを特徴とする家屋構築用のパネル体に係るものである。
【００１１】
また、請求項３記載の家屋構築用のパネル体において、前記膨出部４及び前記凹溝２は前記外部材１の長手方向に延設されていることを特徴とする家屋構築用のパネル体に係るものである。
【００１２】
また、対向する外部材１の内面１ａにして該外部材１の表面から所定の距離だけ奥まった位置には凹溝２が延設され、この外部材１間には平板部材３が設けられ、この平板部材３の両端部が夫々前記凹溝２に嵌入された家屋構築用のパネル体であって、前記外部材１の外面１ｂの一部若しくは全部には、隣接する前記同構造のパネル体の外部材１の外面１ｂ若しくは適宜な家屋用の部材の一部若しくは全部に形成された凹凸面と互いに凹凸嵌合する凹凸面が形成され、前記外部材１の内面１ａには膨出部４が設けられ、この膨出部４に前記凹溝２が設けられていることを特徴とする家屋構築用のパネル体に係るものである。
【００１３】
また、請求項５記載の家屋構築用のパネル体において、前記凹凸面の凸部及び凹部は前記外部材１の長手方向に延設されている凸部及び凹部であることを特徴とする家屋構築用のパネル体に係るものである。
【００１４】
また、請求項５，６いずれか１項に記載の家屋構築用のパネル体において、前記膨出部４及び前記凹溝２は前記外部材１の長手方向に延設されていることを特徴とする家屋構築用のパネル体に係るものである。
【００１５】
また、周囲若しくは対向位置に外部材１が設けられ、この外部材１の内方に平板部材３が設けられたパネル体であって、前記外部材１の外面１ｂの一部若しくは全部には、隣接する前記同構造のパネル体の外部材１の外面１ｂ若しくは適宜な家屋用の部材の一部若しくは全部に形成された外縁が波形の凹凸面と互いに凹凸嵌合する外縁が波形の凹凸面が形成されていることを特徴とする家屋構築用のパネル体に係るものである。
【００１６】
また、請求項８記載の家屋構築用のパネル体において、前記凹凸面の凸部及び凹部は前記外部材１の長手方向に延設されている凸部及び凹部であることを特徴とする家屋構築用のパネル体に係るものである。
【００１７】
また、請求項８，９いずれか１項に記載の家屋構築用のパネル体において、前記外部材１の内面１ａには膨出部４が設けられ、この膨出部４に前記凹溝２が設けられていることを特徴とする家屋構築用のパネル体に係るものである。
【００１８】
また、請求項１０記載の家屋構築用のパネル体において、前記膨出部４及び前記凹溝２は前記外部材１の長手方向に延設されていることを特徴とする家屋構築用のパネル体に係るものである。
【００１９】
また、周囲若しくは対向位置に外部材１が設けられ、この外部材１の内方に平板部材３が設けられたパネル体であって、前記外部材１の外面１ｂの一部若しくは全部には、隣接する前記同構造のパネル体の外部材１の外面１ｂ若しくは適宜な家屋用の部材の一部若しくは全部に形成された凹凸面と互いに凹凸嵌合する凹凸面が形成され、前記外部材１の内面１ａには膨出部４が設けられ、この膨出部４に前記凹溝２が設けられていることを特徴とする家屋構築用のパネル体に係るものである。
【００２０】
また、請求項１〜１２いずれか１項に記載の家屋構築用のパネル体において、互いに凹凸嵌合する前記凹凸面間には気密部材６が介在せしめられていることを特徴とする家屋構築用のパネル体に係るものである。
【００２１】
また、請求項１〜１３いずれか１項に記載の家屋構築用のパネル体11により壁10が形成されていることを特徴とするパネル体により形成された家屋に係るものである。
【００２２】
【発明の作用及び効果】
外部材１の当接面が夫々凹凸面で、この夫々の外部材１の凹凸面は、一方の外部材１の凸部が他方の外部材１の凹部に嵌合する凹凸嵌合状態で当接するから、夫々の外部材１の当接部位の隙間は直線状ではなくなり、よって、当該隙間を風が直進できず、隙間風の侵入が可及的に防止される。
【００２３】
また、この外部材１に設けられた凹凸面は、前記凹凸嵌合により、夫々の外部材１の位置決め作用やズレ防止作用も発揮されることになり、よって、外部材１の配設作業を良好に行え、家屋の強度も増すことになる。
【００２４】
本発明は上述のようにするから、外部材１同志の当接部位の気密性が高く、外部材１の配設作業も容易に行え、高強度の家屋を構築できる実用性に秀れた家屋構築用のパネル体及びパネル体により形成された家屋となる。
【００２５】
【発明の実施の形態】
図面は本発明の一実施例を図示したものであり、以下に説明する。
【００２６】
本実施例は、家屋用の部材の当接構造であって、部材同志の当接面の一部若しくは全部を夫々凹凸面に構成し、この夫々の部材同志の該凹凸面は互いに凹凸嵌合状態で当接せしめられるように構成されているものである。
【００２７】
また、本実施例の図面は、部材として、対向する外部材１の内面１ａにして該外部材１の表面から所定の距離だけ奥まった位置には凹溝２が延設され、この外部材１間には平板部材３が設けられ、該平板部材３の両端部が夫々前記凹溝２に嵌入された家屋構築用のパネル体11を図示しており、前記凹凸面は、このパネル体の外部材１の外面１ｂに設けられている。
【００２８】
また、凹凸面は、その外縁が波形の波形面が採用されている。この波形面は、後述の気密部材６を介在せしめる際に、該波形面が該気密部材６を破断せしめたりするおそれがなく、好適である。尚、この波形面は、家屋形成の際に使用されるプレカット装置によって簡単に形成することができる。
【００２９】
また、凹凸面の凹部及び凸部は外部材１の長手方向に延設されている。従って、例えば二本の柱12間に二枚のパネル体11を配設する場合には、該パネル体11を上方から下方へ降下移動せしめることで該配設作業を凹凸面の凹凸によって阻害されずに行うことができる。
【００３０】
このように凹部及び凸部が所定方向である場合、該凹凸面によってパネル体11等の家屋用の部材の位置決めを容易に行うことができる。
【００３１】
また、本実施例では、上記のようなパネル体11やそれ以外の家屋用の部材に凹凸面を形成した場合のいずれでも、凹凸面の凸部及び凹部の延設方向は、壁10の面方向（上下方向若しくは左右方向）とし、該凹凸が該壁10の面方向と直交する方向となるようにしている。これは、前記位置決め作用に加え、隙間風が直進状態で家屋内に侵入することを阻止する為である。
【００３２】
前記凹凸面は、外部材１の外面１ｂの全面に設けられている。
【００３３】
また、この凹凸面は、パネル体11と当接する柱12にも設けられている。尚、例えば、パネル体11を横設状態で配設する場合には、土台や梁等に凹凸面を設ける。
【００３４】
この凹凸面間には気密部材６が配設されている。
【００３５】
この気密部材６は、例えば弾性を有する合成樹脂テープが採用され、外部材１の外面１ｂに該外部材１の長手方向に延設する状態で貼着されている。
【００３６】
この気密部材６は、一方のパネル体11の凹凸面と他方のパネル体11の凹凸面に挟持され、凹凸形状に沿って弾性変形せしめられる。この際、凹凸面が波形面であるから、気密部材６が鋭角に弾性変形されたりすることはなく、よって、この気密部材６が気密作用を発揮できないような形状に変形されたり、切断されたりすることは防止され、良好な気密作用が発揮されることになる。
【００３７】
また、左右の外部材１の外面１ｂの凹凸面を、パネル体11の左右中央部を支点とする点対称の形状に設定すると、同形状のパネル体11を隣接させる場合、右側のパネル体11の左側端面（左側の外部材１の外面１ｂ）の凹凸面と、左側のパネル体11の右側端面（右側の外部材１の外面１ｂ）の凹凸面とを凹凸嵌合状態とした際、右側のパネル体11と左側のパネル体11とを面一状態とすることができ、好適となる。
【００３８】
また、本実施例のパネル体11は、外部材１の内面１ａには膨出部４が設けられ、この膨出部４に凹溝２が設けられているものである。
【００３９】
更に詳述すると、外部材１は左右対向状態で配設され、また、膨出部４及び凹溝２は上下方向に延設されている。
【００４０】
図面は、凹溝２が膨出部４の頂部に設けられている場合を図示している。
【００４１】
左右の外部材１は、一対の断面視五角形状に近似した木製の角材が採用されている。
【００４２】
また、この断面視五角形の外部材１は、断面視において隣接する二つの外側角部５ａ・５ｂが直角的で（図面は凹凸を誇張して描いている為、直角には見えないが、おおよその輪郭は直角である）、また、内側の残りの三つの角部５ｃ・５ｄ・５ｅが鈍角に設定された外部材１が採用されている。また、内側の残りの三つの角部５ｃ・５ｄ・５ｅが鈍角な五角形状に近似した形状の外部材１が採用され、この外部材１にして前記内側の三つの角部５ｃ・５ｄ・５ｅの内の中央の角部５ｄ近傍が膨出部４に設定され、この角部５ｄに凹溝２が設けられている。
【００４３】
また、この凹溝２が設けられた角部５ｄ以外の二つの鈍角の角部５ｃ・５ｅの角度は、凹溝２の底部が、該二つの鈍角の角部５ｃ・５ｅを結ぶ線と同等か、若しくは、該結ぶ線より内側となるように設定すると良い。具体的には、この二つの鈍角の角部５ｃ・５ｅの角度は約１００乃至１３５°に設定すると良い。
【００４４】
尚、前記鈍角の角部５ｃ・５ｅの角度が同じ外部材１でも、該外部材１の表裏方向の長さが異なれば膨出部４の膨出量も異なることになり（外部材１の表裏方向の長さが長い方が膨出部４の膨出量が大きくなる）、凹溝２の底部と前記結ぶ線との位置関係は異なることになる。
【００４５】
また、この膨出部４は、例えば湾曲膨出する形状であっても良い。
【００４６】
図示したパネル体11は、この凹溝２が外部材１の巾方向中央位置（表面及び裏面から同一距離を置いた位置）に設けられた強度の高い構成を採用しているが、例えば、平板部材３の表面側に厚い断熱材を付設する場合には該凹溝２の位置を角材の巾方向中央位置よりも裏面側に設定する等、この凹溝２の位置は家屋の設置条件に合わせて表面及び裏面から任意の距離を置いた位置に適宜設定しても良い。
【００４７】
また、凹溝２が外部材１の巾方向中央位置に設けられ、且つ、前記膨出部４に設定された角部５ｄ以外の二つの鈍角の角部５ｃ・５ｅの角度が同じに設定されている場合、外部材１の形状は表裏方向において対称となり、非常に強度の高い構成となる。
【００４８】
平板部材３は木製の合板部材が採用されている。
【００４９】
また、平板部材３の上下長は、外部材１の上下長さと同等に設定されている。
【００５０】
また、例えば、平板部材３の上下長を外部材１の上下長よりも若干長く設定し、該平板部材３の上端及び下端を夫々外部材１の上端及び下端から突出するように構成すると、この突出する平板部材３を、土台や梁等のパネル体11の上下に位置する骨材に設けられた凹溝に嵌入することができ、該パネル体11と骨材との接合強度を高めることができる。
【００５１】
また、平板部材３の左右端部は前記外部材１の凹溝２に嵌入され、パネル体11全体が平断面視Ｈ型に構成されている。
【００５２】
この外部材１と平板部材３との固定には接着剤による固定方法が採用されている。
【００５３】
この点、例えば、外部材１と平板部材３とを釘等の連結金具により固定する方法も考えられるが、この場合、パネル体11の強度（主に左右方向の強度）が大きく低下することが実験（破壊試験）により確認されている。この原因は、連結金具による固定手段であると、隣接する連結金具同志の間は全く固定されないことになり、結果的に固定強度にムラが発生するからではないかと考えられる。
【００５４】
また、パネル体11の上下長（高さ）は、家屋の一階分の高さ（約３ｍ）に近似する高さに設定されている。また、左右巾は、４５，６０，９０ｃｍ等に設定されている。
【００５５】
この本実施例のパネル体11によって家屋の壁10を形成する場合、左右の外部材１は隣接するパネル体11の左右の外部材１若しくは柱12等の骨材に当接される。この当接には前記凹凸面同志の当接が採用される。
【００５６】
また、例えば柱12間に三枚のパネル体11を配設する場合には、始めに配設する二枚のパネル体11についてはどのような方向から配設しても良いが、最後に配設するパネル体11については、前記凹凸面の凹部及び凸部の延設方向（本実施例の場合、外部材１の長手方向）にパネル体11を移動させて該パネル体11を配設する。これは、前述の通り、パネル体11の配設が凹凸面の凹凸によって阻害されないようにする為である。
【００５７】
尚、このパネル体11の表面側には外壁材が、また、裏面側には内壁材が夫々付設される。
【００５８】
本実施例は上述のように構成したから、家屋用の部材同志の当接部位が凹凸面同志の当接となっている為、気密性が高く、しかも、単なる凹凸嵌合だけであるから、この気密性を高める為の作業も容易に行える実用性に秀れた家屋用の部材の当接構造となる。
【００５９】
また、この凹凸面同志の当接により、部材、例えば、パネル体11の位置決めを容易に行うことができ、この点においても実用性，作業性に秀れることになる。
【００６０】
また、この凹凸面同志の当接により、部材、例えば、パネル体11の位置ズレを防止することもでき、高強度の家屋を構築することができる。
【００６１】
また、凹凸面同志の隙間に配設された気密部材６が凹凸面の凹凸形状に沿って変形され、該当接部位から剥離したり、切断されたりせず、よって、この点においても高い気密性が発揮されることになる。
【００６２】
また、使用されるパネル体11は、膨出部４が存在する部位において外部材１は左右方向に肉厚となり、この肉厚の部位に凹溝２が設けられているから、該凹溝２の存在による外部材１の強度低下が可及的に防止され、よって、非常に高い強度を発揮する家屋構築用のパネル体となる。
【００６３】
また、外部材１として断面視が五角形のものを採用したから、断面視が四角形のものと異なり、外部材１に作用する表裏方向の荷重若しくは左右方向の荷重が斜め方向に分散され、よって、この点においても非常に高い強度を発揮する家屋構築用のパネル体となる。
【００６４】
また、この断面視が五角形の外部材１として、断面視において隣接する二つの外側角部５ａ・５ｂが直角で、また、内側の残りの三つの角部５ｃ・５ｄ・５ｅが鈍角のものが採用され、この外部材１にして三つの鈍角の角部５ｃ・５ｄ・５ｅの内の中央の角部５ｄ近傍が膨出部４に設定されているから、該外部材１の表面，裏面及び外面（左側の外部材１の左面及び右側の外部材１の右面）が夫々従来例の外部材と同様の形状となり、よって、該外部材１を隣接するパネル体11の外部材１や柱12等に良好に当接して接合したり、また、該外部材１の表面や裏面に外壁材や内壁材を良好に付設したりすることができる。
【００６５】
また、凹溝２の底部が、前記膨出部４以外の鈍角の角部５ｃ・５ｅを結ぶ線より内側、即ち、外部材１の内縁角部より内側に位置している場合には、この凹溝２部位でも外部材１は十分な肉厚を有することになり（Ｌ１≦Ｌ２）、更に高い強度が発揮されることになる。
【００６６】
また、外部材１と平板部材３の固定は接着剤による固定が採用されているから、固定強度が部分的に偏ったりせず、パネル体11全体として高い強度が発揮されることになる。
【００６７】
尚、パネル体11は、外部材１が平板部材３を囲繞する状態で配設されている構成を採用しても良い。
【図面の簡単な説明】
【図１】  本実施例の説明斜視図である。
【図２】  本実施例のパネル体11の説明平断面図である。
【図３】  本実施例の凹凸面同志の当接状態を示す説明拡大平断面図である。
【符号の説明】
１  外部材
１ａ  内面
１ｂ  外面
２  凹溝
３  平板部材
４  膨出部
６  気密部材
10  壁
11  パネル体
【図１】
0004119107.tif 000002
【図２】
0004119107.tif 000003
【図３】
0004119107.tif 000004